(57)【要約】【課題】ガーデンライトにも、またブラケットタイプとしても使用可能とする。【解決手段】光源であるランプ装置１と；ランプ装置１に結合して電力を供給するためのソケット２と；一方の面にソケット２が取り付けられ、他方の面に、端子台７を取り付けるための取付手段を備えると共に、ポール１０に取り付けるための取付金具９と結合する結合手段と、造営材に直付する場合に防水パッキン６を保持する保持手段及び防水パッキン６を介して造営材に取り付けられる取付手段を具備する本体３と；ソケット２に取り付けられたランプ装置１を覆った状態で本体に取り付けられる透光性カバー４とを具備する。【選択図】図１
2011165499.tif 000002
【特許請求の範囲】
【請求項１】
光源と；
光源に結合して電力を供給するためのソケットと；
一方の面にソケットが取り付けられ、他方の面に、端子台を取り付けるための取付手段を備えると共に、ポールに取り付けるための取付金具と結合する結合手段と、造営材に直付する場合に防水パッキンを保持する保持手段及び防水パッキンを介して造営材に取り付ける取付手段を具備する本体と；
ソケットに取り付けられた光源を覆った状態で本体に取り付けられる透光性カバーと
を具備することを特徴とする照明器具。
【請求項２】
ソケットから端子台へ到る電力ラインを、本体における端子台取付面の中央部を回避して配線したことを特徴とする請求項１に記載の照明器具。
【発明の詳細な説明】
【技術分野】
【０００１】
この発明は、庭園などの地中に埋設されたポールに設けることによってガーデンライトとして使用することができ、また、所謂ブラケットタイプとして室内における壁面などの造営材に直付することができる照明器具に関するものである。
【背景技術】
【０００２】
従来のガーデンライトは、照明器具と金属性のポールと照明器具に装着される透光性のグローブとから構成され、照明器具を構成する本体によってポールに取り付けられる構成となっている（特許文献１参照）。
【０００３】
上記照明器具は単独で使用することも考えられているが、実際にはガーデンライトに使用する構成となっており、ブラケットタイプとして使用するための十分な構成を備えるものでなかった。
【先行技術文献】
【特許文献】
【０００４】
【特許文献１】特開２００９−９９３３０号公報
【発明の概要】
【発明が解決しようとする課題】
【０００５】
本発明は上記のような照明器具の現状に鑑みてなされたもので、その目的は、ガーデンライトにも、またブラケットタイプとしても使用することのできる照明器具を提供することである。
【課題を解決するための手段】
【０００６】
本発明に係る照明器具は、光源と；光源に結合して電力を供給するためのソケットと；一方の面にソケットが取り付けられ、他方の面に、端子台を取り付けるための取付手段を備えると共に、ポールに取り付けるための取付金具と結合する結合手段と、造営材に直付する場合に防水パッキンを保持する保持手段及び防水パッキンを介して造営材に取り付けられる取付手段を具備する本体と；ソケットに取り付けられた光源を覆った状態で本体に取り付けられる透光性カバーとを具備することを特徴とする。
【０００７】
光源としては、蛍光灯やＬＥＤによる各種のランプを採用することもでき、また、基板上にＬＥＤなどを実装した光源ユニットを採用することもできる。更に、ランプ内に点灯回路を備えるものであっても良い。透光性カバーは、透光性であれば透明であっても乳白色等の半透明でも良い。
【０００８】
ポールは、庭園等に基端部が埋設された金属性や樹脂性の円筒管であれば特に限定されない。造営材は、建造物の壁などブラケットタイプの照明器具が取り付けられる部材を指す。
【０００９】
本発明に係る照明器具は、ソケットから端子台へ到る電力ラインを、本体における端子台取付面の中央部を回避して配線したことを特徴とする。
【発明の効果】
【００１０】
本発明によれば、本体が、端子台を取り付けるための取付手段を備えると共に、ポールに取り付けるための取付金具と結合する結合手段と、造営材に直付する場合に防水パッキンを保持する保持手段及び防水パッキンを介して造営材に取り付けられる取付手段を具備することにより、ポールに取り付けてガーデンライトとして使用することも、また、造営材に直付することにより、ブラケットタイプとして使用することもでき、一つの照明器具を二通りに使用することができる。このため、目的の異なる照明器具の部品を共通化することができ、コスト低減を図ることが可能である。
【００１１】
本発明によれば、本体における端子台取付面の中央部を回避して配線したので、光源からの熱が最も集中する部位を回避した配線がなされ、電力ラインを保護することが可能である。
【図面の簡単な説明】
【００１２】
【図１】本発明に係る照明器具の実施形態に係る照明器具をブラケットタイプとして構成した場合の断面図。
【図２】本発明に係る照明器具の実施形態に係る照明器具をブラケットタイプとして構成した場合の側面図。
【図３】本発明に係る照明器具の実施形態に係る照明器具をガーデンライトとして構成した場合の断面図。
【図４】本発明に係る照明器具の実施形態に係る照明器具をガーデンライトとして構成した場合の側面図。
【図５】本発明に係る照明器具の実施形態に係る照明器具のランプ装置とソケットとの組立斜視図。
【図６】本発明に係る照明器具の実施形態に係る照明器具のソケットが取り付けられた本体の平面図。
【図７】本発明に係る照明器具の実施形態に係る照明器具をブラケットタイプとして構成した場合の本体の底面図。
【図８】本発明に係る照明器具の実施形態に係る照明器具をガーデンライトとして構成するための取付金具の斜視図。
【図９】本発明に係る照明器具の実施形態に係る照明器具をガーデンライトとして構成した場合の本体の底面図。
【発明を実施するための形態】
【００１３】
以下、添付図面を参照して本発明に係る照明器具の実施形態を説明する。各図において、同一の構成要素には同一の符号を付して重複する説明を省略する。図１は、実施形態に係る照明器具をブラケットタイプとして構成した場合の断面図であり、図２は、その側面図である。また、図３は、実施形態に係る照明器具をガーデンライトとして構成した場合の断面図であり、図４は、その側面図である。図５は、ランプ装置１とソケット２との組立斜視図である。図６は、実施形態に係る照明器具のソケット２が取り付けられた本体３の平面図である。
【００１４】
照明装置は、光源であるランプ装置１、ソケット２、本体３、透光性カバー４、ガード５を備える。ランプ装置１は、偏平な円盤形状を有している基部１１内にＬＥＤや蛍光灯と共に点灯回路が収納固定されたものである。基部１１には、一体にＧＸ５３形式の口金部が設けられている。基部１１には図５に示されるように、ホルダ１３と口金体１４と口金ピン１５とが備えられている。口金ピン１５は、円柱状の軸部の先端に軸部より太径の頭部１５ａを備えた構成となっている。基部１１から光が出射される面は、透光性のグローブ１６により覆われている。基部１１の周縁部における下方から半分程度の高さの部分には、放熱フィン１７が形成されている。
【００１５】
ソケット２は、本体３にネジなどにより固定されている円環状のケース体２１を備える。ケース体２１内には給電ラインに接続された一対の接続金具が収容されている。ケース体２１の平面部には、各接続金具に沿ってソケット部を構成する給電孔２２が形成されている。各給電孔２２はケース体２１の中心に対して回転対称に位置しており、円弧状の溝部の一端に円形の丸孔部２２ａが形成されている。
【００１６】
ケース体２１の中央部分は、円形の貫通孔により構成される収容部２３となっている。この収容部２３を囲繞するケース体２１における壁面の対称位置には、一対の係合保持部２４が形成されている。
【００１７】
各給電孔２２に近接するケース体２１の円形外周面は、一対の縦長に矩形状の切欠部２５が形成されており、この切欠部２５から概ね９０度回転した位置には、一対の縦長に半円柱形状の凹部２６が形成されている。
【００１８】
本体３は、有底円筒形状を有し、底板３１の中央にソケット２が固定されている。ケース体２１の凹部２６に対応する底板３１の位置には、底板３１の裏面側へ円筒形に突出しているネジ収容部３２が形成されている。ネジ収容部３２の底面には、ネジを貫通させる穴３２ａが形成されている。ネジ収容部３２は、内側にネジを入れて穴３２ａを貫通させて造営材である壁などにネジを螺合して、本体３を取り付け固定する取付手段として機能するものである。
【００１９】
本体３の最内壁３３は上記ネジ収容部３２の方向へ延びており、その最下端部３３ａは例えば樹脂製の防水パッキン６を保持する保持手段として機能する。本体３の最内壁３３における最下端部３３ａに防水パッキン６が保持された状態において、ネジ収容部３２の先端平面に防水パッキン６が当接することになる。造営材である壁などに本体３を取り付ける場合には、ネジが防水パッキン６を介して壁などに螺合される。
【００２０】
図７に示す通り、ブラケットタイプとして使用するために、底板３１の裏面側には端子台７を取付けるための取付手段であるネジが底板３１の表面側から突出するように穴３５が形成されている。端子台７は方形状であり、一端部から電力ライン３６が延びて底板３１の外周部に設けられた気密孔３７を介してケース体２１の接続金具へ接続される。図７のように、電力ライン３６は底板３１の裏面における中央部を回避して配線されており、ランプ装置１により発生された熱が集中する中央部に配線されず、防水パッキン６により蓋がされた状態においてもランプ装置１による熱的な影響を受けることがないように配置されている。
【００２１】
本体３における底板３１の中央部には、気密孔体３０が装着されており、ブラケットタイプとして使用するときには、使用されない。ガーデンライトとして使用するときには、口出線としての電力ライン３６が気密孔体３０を介して引き出される。図３に示すように、気密孔体３０に隣接するようにボス３８が突出して形成されている。ボス３８の軸に沿ってネジ穴が形成されており、ワイヤクランプ３９がネジ止めされている。このワイヤクランプによって電力ライン３６が吊られて固定されている。
【００２２】
図８には、ガーデンライトとして使用される場合に、本体３をポール１０に取り付ける取付金具９が示されている。取付金具９は、中央部が円形に切欠された開口穴９２を有する円板状の蓋部９１を備える。蓋部９１における外周部の４か所には、略直角に折り曲げられた脚部９３が設けられている。
【００２３】
蓋部９１の４か所には、ネジが貫通される穴９４が穿設されており、また、各脚部９３にもネジが螺合されるネジ孔９５が形成されている。一方、本体３における底板３１の裏面側には、上記穴９４に対応する位置にボス５１が突設されており、このボス５１の軸に沿ってネジ穴が形成されている。本体３と取付金具９の結合は、このボス５１のネジ穴を結合手段としてネジを螺合することによって行われる。このとき、本体３における底板３１の裏面側に突出しているネジ収容部３２の先端平面と取付金具９の間にはパッキン５２が介装され、本体３の内側は封止される。
【００２４】
本体３の最内壁３３の最上端部には、端面を一周するように溝５３が形成されている。溝５３には、有蓋円筒形状を有している透光性カバー４の開口端面４１が挿入される。透光性カバー４には、金属性あるいは樹脂製のガード５が被せられ、ガード５の側部に形成された穴５５を介してネジによりガード５と本体３が結合固定される。
【００２５】
ガード５は、穴５５が形成された筒状の基部５６と中央部が開口されたリング状の円環枠部５７との間を、対向位置に設けられた二条の細い側柱５８により一体に連結した構成を有する。円環枠部５７の開口部及び基部５６より上側で側柱５８が存在しない部分からは透光性カバー４が露出しており、ランプ装置１から出射された光が放出される。
【００２６】
本体３は、最内壁３３の上端部から折り返された最外壁３４を有しており、この最外壁３４の下部３４ｂ側が段部３４ａを介して外側に大径とされて、ガード５の下側において露出している。
【００２７】
以上の通りに構成された照明器具において、ブラケットタイプとして使用する場合には、図７に示す通り、本体３における底板３１の裏面側には端子台７をネジにより取付ける。電力ライン３６の配線は前述した通りである。ソケット２が取り付けられた状態の本体３に対して、その最内壁３３における最下端部３３ａに防水パッキン６を保持させる。端子台７に対して、商用交流電源に接続された電源線を接続する。
【００２８】
この状態において、本体３を造営材である壁等の所望位置に位置付け、ソケット２側からネジ収容部３２の内側にネジ６１を入れて穴３２ａを貫通させ、ネジ６１を螺合することにより本体３を壁等に固定する。次に、ランプ装置１を持ち、口金ピン１５の頭部１５ａをソケット２の丸孔部２２ａに挿入して口金ピン１５が給電孔２２の他端側に移動するようにランプ装置１を回転させて、ランプ装置１をソケット２に固定する。
【００２９】
次に、本体３の溝５３に、透光性カバー４の開口端面４１を挿入して、ガード５を被せてガード５の側部に形成された穴５５を介してネジ６２を挿入し、ネジ６２を螺合することによりガード５と本体３を結合固定する。
【００３０】
また、上記の照明器具をガーデンライトとして使用する場合には、図９に示す通り、本体３における底板３１の裏面側には端子台７を取付けることはない。本体３における二つのネジ収容部３２の先端平面にそれぞれパッキン５２を載置した状態で、取付金具９を本体３の裏面側に位置付け、取付金具９の穴９４を、本体３におけるボス５１のネジ穴に位置付け、ネジ６３を穴９４からボス５１のネジ穴に螺合して固定する。
【００３１】
口出線としての電力ライン３６を、ポール１０内の商用交流電源に接続された電源線と接続する。次に、本体３が固定された取付金具９における各脚部９３をポール１０内に挿入し、各脚部９３のネジ孔９５をポール１０の穴１０ａに位置付けて、ネジ６４をポール１０の穴１０ａに挿入して取付金具９のネジ孔９５に螺合させてポール１０と取付金具９を結合固定する。これより先にあるいは後に、ランプ装置１、透光性カバー４及びガード５の取り付けをブラケットタイプの場合と同様に行い、ガーデンライトを完成する。
【００３２】
以上の通り、本実施形態に係る照明器具は、ブラケットタイプとして使用するときにもガーデンライトとして使用するときにも、ランプ装置１、ソケット２、本体３、透光性カバー４及びガード５により構成される基本的構成は共通であり、コスト低減を図ることができる。
【符号の説明】
【００３３】
１  ランプ装置
２  ソケット
３  本体
４  透光性カバー
５  ガード
６  防水パッキン
７  端子台
９  取付金具
１０  ポール
１３  ホルダ
１４  口金体
１５  口金ピン
１６  グローブ
２１  ケース体
２３  収容部
３０  気密孔体
３６  電力ライン
３８、５１  ボス
【図１】
2011165499.tif 000003
【図２】
2011165499.tif 000004
【図３】
2011165499.tif 000005
【図４】
2011165499.tif 000006
【図５】
2011165499.tif 000007
【図６】
2011165499.tif 000008
【図７】
2011165499.tif 000009
【図８】
2011165499.tif 000010
【図９】
2011165499.tif 000011